(57)【特許請求の範囲】
【請求項１】
プラグコネクタの一部が挿入される嵌合部を部分的に形成する絶縁ハウジングと、
上記嵌合部内に配列配置され、各々が、その一部が上記絶縁ハウジングに固定されて、上記嵌合部に挿入されるプラグコネクタの一部に設けられた接続端子部に押圧接触するものとされる複数の導電コンタクトと、
上記絶縁ハウジングを部分的もしくは全体的に覆い、上記絶縁ハウジングと共に上記嵌合部を形成し、グラウンド端子部が設けられる導電性シェルと、
を備えて成り、
上記導電性シェルにおける上記嵌合部を形成する部分が、上記嵌合部に挿入されるプラグコネクタの一部に設けられたグラウンド接続部に押圧接触する接触ばね部が形成されるものとされ、
上記導電性シェルにおける上記嵌合部を形成するとともに上記接触ばね部が形成される部分が、上記導電性シェルにおけるＵ字状に屈曲されて重ねられるとともに一部が上記絶縁ハウジングに固定される部分とされ、
上記導電性シェルに、上記嵌合部の開口部側とは反対側に、実質的に平行な２平面内に夫々位置する状態もしくは実質的に同一平面内に位置する状態をもって突出する係止部と係止補助部とを含んで構成されて、上記絶縁ハウジングに係合して上記導電性シェルを上記絶縁ハウジングに係止する係合係止機構が設けられ、
各々が上記嵌合部を部分的に形成する上記絶縁ハウジングの部分と上記導電性シェルの部分とが、所定の間隔をおいて相対向する二つの壁部を成すこと、
を特徴とするコネクタ装置。
【請求項２】
上記接触ばね部が、上記複数の導電コンタクトのうちの二つの間に対向する位置に設けられることを特徴とする請求項１記載のコネクタ装置。
【請求項３】
上記導電性シェルが係合する第１の係止部と上記嵌合部内に挿入されたプラグコネクタが係合する第２の係止部とが設けられ、上記絶縁ハウジングと上記導電性シェルとによって固定されるロック部材を備えることを特徴とする請求項１記載のコネクタ装置。
【請求項４】
上記ロック部材に設けられた第１の係止部が突起部とされることを特徴とする請求項３記載のコネクタ装置。
【請求項５】
上記ロック部材に設けられた第１の係止部が透孔部とされることを特徴とする請求項３記載のコネクタ装置。
【発明の詳細な説明】
【技術分野】
【０００１】
本願の特許請求の範囲に記載された発明は、ケーブルやフレキシブル印刷配線基板（ＦＰＣ）等が連結されたプラグコネクタの差込接続に供される、ソケットコネクタとして用いられるコネクタ装置に関する。
【背景技術】
【０００２】
複数の比較的細いケーブルや比較的小型なフレキシブル印刷配線基板を、各種の電気部品が取り付けられるソリッド印刷配線基板に接続するにあたっては、複数のケーブルあるいはフレキシブル印刷配線基板が連結されるプラグコネクタとソリッド印刷配線基板との電気的接続がなされ、プラグコネクタが差込接続されるソケットコネクタとが用いられる。プラグコネクタには、複数のケーブルあるいはフレキシブル印刷配線基板との電気的接続がなされた複数の接続端子部が配された差込部が設けられる。また、ソケットコネクタには、プラグコネクタに設けられた差込部が挿入される嵌合部が設けられ、その嵌合部内に、一端部が接続端子部とされてソリッド印刷配線基板に接続されたもとで、ソケットコネクタの差込部における複数の接続端子部に夫々押圧接触する、複数の導電コンタクトが配される。
【０００３】
ソケットコネクタは、複数の導電コンタクトの夫々の一部を固定する絶縁ハウジングと、外部からの電磁波ノイズ対策のため絶縁ハウジングを部分的もしくは全体的に覆う金属製の導電性シェルと、を備えて構成されて、その内部に嵌合部を形成する。このようなソケットコネクタにあっては、ソリッド印刷配線基板に取り付けられたとき、ソリッド印刷配線基板上での高さが成る可く低いものとされること、即ち、できるだけ薄型とされることが望まれる。そのため、ソケットコネクタ内に設けられる嵌合部を、その全体を絶縁ハウジングによって形成するのではなく、嵌合部における相互対向する二つの壁部を絶縁ハウジングの部分と導電性シェルの部分とによって構成するようにして、絶縁ハウジングと導電性シェルとの夫々が嵌合部を部分的に形成するものとなすことにより、ソケットコネクタ全体の薄型を図ることが、従来において提案されている（例えば、特許文献１参照。）。
【０００４】
また、ソリッド印刷配線基板に取り付けられたソケットコネクタの嵌合部に、複数のケーブルあるいはフレキシブル印刷配線基板が連結されたプラグコネクタにおける差込部が挿入されるとき、プラグコネクタにおけるグラウンド接続部（接地部）が、ソリッド印刷配線基板におけるグラウンド接続部に接続されたソケットコネクタにおけるグラウンド端子部に連結され、それにより、ソケットコネクタにおけるグラウンド端子部を介して、ソリッド印刷配線基板におけるグラウンド接続部に連結されることが必要とされる。そのため、従来にあっては、ソケットコネクタを、外部からの電磁波ノイズ対策のため絶縁ハウジングを略全体的に覆う導電性シェルとは別に、格別に製作された導電性部材とされるグラウンドプレートを備えるものとし、プラグコネクタにおけるグラウンド接続部（接地部）が、ソケットコネクタが備えるグラウンドプレートを通じて、ソリッド印刷配線基板におけるグラウンド接続部に接続されたソケットコネクタにおけるグラウンド端子部に連結されるようになすことが提案されている（例えば、特許文献２参照。）。
【０００５】
このような従来提案されているソケットコネクタが備えるグラウンドプレートは、例えば、金属板により一体形成されて、ソケットコネクタの嵌合部を形成する絶縁ハウジングに取り付けられるものとされる。斯かるグラウンドプレートは、ソケットコネクタの嵌合部に沿って伸びる細長い連結部と、連結部から嵌合部内に突出する複数の接触部と、連結部から嵌合部とは反対側に突出する複数の半田付端子部と、連結部から接触部の突出方向とは直交する方向に突出する複数の固定部とを備えるものとして製作される。そして、複数の固定部が嵌合部を形成する絶縁ハウジングに固定されたもとで、複数の接触部が、差込部が嵌合部に挿入されたプラグコネクタにおけるグラウンド接続部に接触するものとされる。
【０００６】
【特許文献１】特開２００１−２０３０４７号公報（第４，５頁、図１，２）
【特許文献２】特開平１１−２８３７１０号公報（第８，９頁、図１４〜１７）
【発明の開示】
【発明が解決しようとする課題】
【０００７】
上述のように、プラグコネクタの差込部が挿入される嵌合部を、それにおける相互対向する二つの壁部が絶縁ハウジングの部分と導電性シェルの部分とによって構成されるようにして、絶縁ハウジングと導電性シェルとの夫々によって部分的に形成されるものとなすことにより、全体の薄型が図られた従来のソケットコネクタにあっては、構造上の弱点を伴っている。即ち、嵌合部における相互対向する二つの壁部のうちの一方が、金属製の導電性シェルの部分によって構成されるので、十分な機械的強度を有したものとされず、嵌合部にプラグコネクタにおける差込部が挿入されて、それに設けられた複数の接続端子部に嵌合部内に配された複数の導電コンタクトが夫々押圧接触するとき、複数の導電コンタクトの弾性力が差込部を介して嵌合部の一部を形成する導電性シェルの部分に作用し、当該導電性シェルの部分が外方に膨らみ出る変形を生じてしまうのである。そして、それにより、プラグコネクタについての導電性シェルを通じた安定なグラウンド接続状態が得られないことにもなる。
【０００８】
また、格別に製作されたグラウンドプレートを備える従来のソケットコネクタにあっては、嵌合部を形成する絶縁ハウジング及び絶縁ハウジングを略全体的に覆う導電性シェルに加えて、比較的複雑な構造を有するグラウンドプレートを、例えば、金属板により一体形成して用意し、それを絶縁ハウジングに取り付けなければならず、そのための手間と費用が要されることになってしまう。さらに、グラウンドプレートが絶縁ハウジングに取り付けられて得られるソケットコネクタが、全体の薄型化が図られず、部品点数が増大して構成が複雑化し、コストが嵩むものとなってしまうという問題がある。
【０００９】
斯かる点に鑑み、本願の特許請求の範囲に記載された発明は、プラグコネクタの一部が挿入される嵌合部が設けられ、嵌合部内にそれに挿入されたプラグコネクタの一部における接続端子部に接触する複数の導電コンタクトが配される構造を有したもとで、嵌合部に必要とされる機械的強度を損なうことなく全体の薄型化が図られるとともとに、格別に製作されるグラウンドプレートを要することなく、プラグコネクタにおけるグラウンド接続部をグラウンド端子部に確実に連結することができる、ソケットコネクタとして用いられるコネクタ装置を提供する。
【課題を解決するための手段】
【００１０】
本願の特許請求の範囲における請求項１から請求項５までのいずれかに記載された発明（以下、本発明という。）に係るコネクタ装置は、プラグコネクタの一部が挿入される嵌合部を部分的に形成する絶縁ハウジングと、嵌合部内に配列配置され、各々が、その一部が絶縁ハウジングに固定されて、嵌合部に挿入されるプラグコネクタの一部に設けられた接続端子部に押圧接触するものとされる複数の導電コンタクトと、絶縁ハウジングを部分的もしくは全体的に覆い、絶縁ハウジングと共に嵌合部を形成し、グラウンド端子部が設けられる導電性シェルとを備え、導電性シェルにおける嵌合部を形成する部分に、嵌合部内に挿入されるプラグコネクタの一部に設けられたグラウンド接続部に押圧接触する接触ばね部が形成され、導電性シェルにおける嵌合部を形成するとともに接触ばね部が形成される部分が、導電性シェルにおけるＵ字状に屈曲されて重ねられるとともに一部が絶縁ハウジングに固定される部分とされ、導電性シェルに、嵌合部の開口部側とは反対側に、実質的に平行な２平面内に夫々位置する状態もしくは実質的に同一平面内に位置する状態をもって突出する係止部と係止補助部とを含んで構成されて、絶縁ハウジングに係合して導電性シェルを絶縁ハウジングに係止する係合係止機構が設けられ、各々が嵌合部を部分的に形成する絶縁ハウジングの部分と導電性シェルの部分とが、所定の間隔をおいて相対向する二つの壁部を成すものとされる。
【００１１】
上述のように構成される本発明に係るコネクタ装置にあっては、導電性シェルに、嵌合部の開口部側とは反対側に、実質的に平行な２平面内に夫々位置する状態もしくは実質的に同一平面内に位置する状態をもって突出する係止部と係止補助部とを含んで構成される係合係止機構が設けられ、この係合係止機構が絶縁ハウジングに係合して導電性シェルを絶縁ハウジングに係止する。そして、斯かるもとで、各々が嵌合部を部分的に形成する絶縁ハウジングの部分と導電性シェルの部分とが、所定の間隔をおいて相対向する二つの壁部を成すものとされる。
【００１２】
また、本発明に係るコネクタ装置にあっては、導電性シェルにおける嵌合部を部分的に形成する部分が、導電性シェルにおけるＵ字状に屈曲されて重ねられるとともにその一部が絶縁ハウジングに固定される部分とされ、そこには接触ばね部が形成されていて、接触ばね部は、例えば、複数の導電コンタクトのうちの二つの間に対向する位置に配される。そして、嵌合部にプラグコネクタの一部が挿入されて、それに設けられた接続端子部に各導電コンタクトが押圧接触するとき、接触ばね部が、プラグコネクタの一部に設けられたグラウンド接続部に押圧接触するものとされる。
【００１３】
このような本発明に係るコネクタ装置は、例えば、ソリッド印刷配線基板に取り付けられて、各導電コンタクトがソリッド印刷配線基板における信号用接続部に接続されるとともに、導電性シェルに設けられたグラウンド端子部がソリッド印刷配線基板におけるグラウンド接続部に接続されたもとで、プラグコネクタの差込接続に供されるソケットコネクタとして用いられる。その際、プラグコネクタにおけるグラウンド接続部が、導電性シェル及びそれに設けられたグラウンド端子部を介して、ソリッド印刷配線基板におけるグラウンド接続部に連結される。
【発明の効果】
【００１４】
上述の本発明に係るコネクタ装置にあっては、プラグコネクタの一部が挿入される嵌合部が、絶縁ハウジングの部分と導電性シェルにおけるＵ字状に屈曲されて重ねられるとともにその一部が絶縁ハウジングに固定される部分とによって形成され、嵌合部を部分的に形成する絶縁ハウジングの部分と導電性シェルの部分とが、所定の間隔をおいて相対向する二つの壁部を成すものとされるので、嵌合部の全体が絶縁ハウジングによって形成される場合に比して、全体の薄型化が図られることになる。そして、絶縁ハウジングと導電性シェルとは、導電性シェルに、嵌合部の開口部側とは反対側に、実質的に平行な２平面内に夫々位置する状態もしくは実質的に同一平面内に位置する状態をもって突出する係止部と係止補助部とを含んで構成される係合係止機構が設けられ、この係合係止機構が絶縁ハウジングに係合して導電性シェルを絶縁ハウジングに係止するものとされるので、プラグコネクタの一部が嵌合部に挿入された際に、絶縁ハウジングの部分と導電性シェルにおけるＵ字状に屈曲されて重ねられるとともにその一部が絶縁ハウジングに固定される部分とによって、プラグコネクタの一部が確実かつ堅固に固定される状態におかれる。
【００１５】
そして、導電性シェルにおける嵌合部を部分的に形成する部分には、嵌合部に挿入されるプラグコネクタの一部に設けられたグラウンド接続部に押圧接触する接触ばね部が形成されるので、嵌合部における導電性シェルにより形成される部分が、必要とされる機械的強度を有することになる。即ち、嵌合部にプラグコネクタの一部が挿入されて、それに設けられた接続端子部に嵌合部内に配された複数の導電コンタクトの各々が押圧接触するとき、それとともにプラグコネクタに設けられたグラウンド接続部に導電性シェルに形成された接触ばね部が押圧接触し、プラグコネクタの一部に対する導電コンタクトの押圧力と接触ばね部の押圧力とが相殺される。その結果、嵌合部における導電性シェルの部分により形成される部分が、実質的に必要とされる機械的強度を有するものとなり、各導電コンタクトの弾性力が、プラグコネクタの一部を介して、嵌合部を部分的に形成する導電性シェルの部分に作用し、それにより当該導電性シェルの部分が外方に膨らみ出る変形を生じてしまうという事態が回避される。
【００１６】
さらに、本発明に係るコネクタ装置にあっては、導電性シェルに形成された接触ばね部が、嵌合部に挿入されるプラグコネクタの一部に設けられたグラウンド接続部に押圧接触するので、プラグコネクタの一部に設けられたグラウンド接続部が、接触ばね部を介して導電性シェルに設けられたグラウンド端子部に連結されることになる。従って、本発明に係るコネクタ装置によれば、格別に製作されたグラウンドプレートを要することなく、プラグコネクタにおけるグラウンド接続部をグラウンド端子部に確実に連結することができ、特に、接触ばね部が複数の導電コンタクトのうちの二つの間に対向する位置に配されるもとでは、導電コンタクトの押圧力と接触ばね部の押圧力とのバランスがとれて、プラグコネクタにおけるグラウンド接続部についての極めて安定なグラウンド接続が実現される。そして、本発明に係るコネクタ装置が、例えば、ソリッド印刷配線基板に取り付けられて、各導電コンタクトがソリッド印刷配線基板における信号用接続部に接続されるとともに、導電性シェルに設けられたグラウンド端子部がソリッド印刷配線基板におけるグラウンド接続部に接続されたもとで、プラグコネクタの差込接続に供されるソケットコネクタとして用いられるときには、プラグコネクタにおけるグラウンド接続部が、導電性シェル及びそれに設けられたグラウンド端子部を介して、ソリッド印刷配線基板におけるグラウンド接続部に確実に連結されることになる。
【発明を実施するための最良の形態】
【００１７】
本発明を実施するための最良の形態は、以下に述べられる本発明についての実施例をもって説明される。
【実施例】
【００１８】
図１（上面図），図２（正面図）及び図３（底面図）は、本発明に係るコネクタ装置の一例を示す。
【００１９】
図１〜図３において、本発明に係るコネクタ装置の一例を成すコネクタ装置１１は、プラグコネクタの差込接続に供されるソケットコネクタとして用いられるものとされており、合成樹脂等の絶縁材料によって形成された絶縁ハウジング１２、及び、外部からの電磁波ノイズ対策のため絶縁ハウジング１２の外面部を一部分を残して略全体的に覆うものとされた、金属製の導電性シェル１３を備えている。このような絶縁ハウジング１２と導電性シェル１３とは、両者で、後述されるプラグコネクタの差込部が挿入される嵌合部１４（図２）を形成している。即ち、嵌合部１４は、その一部が絶縁ハウジング１２の部分によって形成され、他の一部が導電性シェル１３の部分によって形成されたものとされているのである。
【００２０】
図２に示されるように、嵌合部１４内には、複数の導電コンタクト１５が配列配置されている。これら複数の導電コンタクト１５の夫々の一端部は、嵌合部１４の開口端側とは反対側において絶縁ハウジング１２からその外部に伸びる接続端子部１５ａを形成している。それにより、コネクタ装置１１にあっては、図１及び図３に示されるように、嵌合部１４の開口端側とは反対側において、複数の接続端子部１５ａが、配列配置された状態をもって、絶縁ハウジング１２からその外部に突出している。
【００２１】
導電性シェル１３は、絶縁ハウジング１２の上面部の大部分を覆う上方平板状部１３ａ，絶縁ハウジング１２の底面部を略全面的に覆う下方平板状部１３ｂ、及び、嵌合部１４の開口端側において上方平板状部１３ａと下方平板状部１３ｂとを連結する連結部１３ｃを有するものとして構成されている。そして、導電性シェル１３には、連結部１３ｃとは反対側において、接続端子部１５ａの絶縁ハウジング１２からの突出方向と同方向をもって突出し、複数の接続端子部１５ａの配列方向において複数の接続端子部１５ａを挟む位置をとる一対のグラウンド端子部１３ｄが設けられている。さらに、導電性シェル１３の下方平板状部１３ｂには、嵌合部１４の開口端側において配列配置された複数の透孔１６が形成されている。
【００２２】
図２におけるIV−IV線断面をあらわす図４に示されるように、絶縁ハウジング１２における嵌合部１４を形成する部分１２ａの内面側には、互いに平行に伸びる複数の溝部２０が設けられており、これらの複数の溝部２０の夫々に導電コンタクト１５が配されている。導電コンタクト１５における略中央部には、その幅方向（図４における紙面に直交する方向）に波形状に突出する打出部（図示されていない）が形成されており、斯かる打出部を含む導電コンタクト１５の部分が絶縁ハウジング１２に固定されている。そして、導電コンタクト１５における接続端子部１５ａとは反対側の自由端部は、嵌合部１４内において接触部１５ｂを形成している。この接触部１５ｂは、嵌合部１４にプラグコネクタの差込部が挿入されるとき、プラグコネクタの差込部に配された接続端子部に押圧接触するものとされる。
【００２３】
また、導電性シェル１３の下方平板状部１３ｂからは、内側にＵ字状に屈曲されて下方平板状部１３ｂに重ねられる折り返し部分２１が一体的に伸びている。この折り返し部分２１には、嵌合部１４内に配される接触ばね部２２が一体的に形成されている。接触ばね部２２の自由端部は、嵌合部１４内において接触部２２ａを形成している。この接触部２２ａは、嵌合部１４にプラグコネクタの差込部が挿入されるとき、プラグコネクタの差込部に設けられたグラウンド接続部に押圧接触するものとされる。
【００２４】
図２の一部を拡大してあらわす図５、及び、図５における部分Ｒをさらに拡大してあらわす図６に示されるように、導電性シェル１３における折り返し部分２１に形成される接触ばね部２２は複数個とされており、複数の接触ばね部２２が、複数の導電コンタクト１５の配列方向に沿い、所定の間隔をおいて配されている。そして、複数の接触ばね部２２の夫々は、複数の導電コンタクト１５のうちの二つの間に対向する位置に設けられたものとされている。なお、複数の接触ばね部２２と複数の導電コンタクト１５との位置関係は、必ずしも、複数の接触ばね部２２の夫々が複数の導電コンタクト１５のうちの二つの間に対向する位置をとる関係である必要はなく、接触ばね部２２が導電コンタクト１５の一部に対向する位置にあってもよい。
【００２５】
図２における VII−VII 線断面をあらわす図７に示されるように、導電性シェル１３の折り返し部分２１は、その一部が絶縁ハウジング１２に固定されている。そして、導電性シェル１３における下方平板状部１３ｂと接触ばね部２２が形成された折り返し部分２１とを含む部分が、絶縁ハウジング１２と共に嵌合部１４を形成する部分とされている。それにより、嵌合部１４の下方側部分は、導電性シェル１３における下方平板状部１３ｂと接触ばね部２２が形成された折り返し部分２１とを含む部分によって形成されているのである。
【００２６】
一方、嵌合部１４の上方側部分は、絶縁ハウジング１２の部分１２ａによって形成されている。そして、嵌合部１４の上方側部分を形成する絶縁ハウジング１２の部分１２ａと、嵌合部１４の下方側部分を形成する導電性シェル１３における下方平板状部１３ｂと接触ばね部２２が形成された折り返し部分２１とを含む部分とは、所定の間隔をおいて相対向する二つの壁部を成していることになる。このようにして形成される嵌合部１４は、その上方側部分が、絶縁ハウジング１２の部分１２ａによって形成されることにより、堅固なものとされ、また、その下方側部分が、導電性シェル１３における下方平板状部１３ｂと接触ばね部２２が形成された折り返し部分２１とを含む部分によって形成されることにより、必要とされる機械的強度を有することになって、全体として、プラグコネクタの差込接続に供されるに充分な機械的強度を有したものとされる。
【００２７】
導電性シェル１３の一端部を拡大してあらわす図８及び図８におけるIX−IX線断面をあらわす図９に示されるように、導電性シェル１３における複数の導電コンタクト１５の配列方向における両端部の夫々には、係合片部２３が設けられている。この係合片部２３には、透孔とされる係合孔２４が形成されている。
【００２８】
また、導電性シェル１３における嵌合部１４の開口端側とは反対側においては、係止部２５と係止補助部２６とが、グラウンド端子部１３ｄの突出方向と同方向に突出するものとして設けられている。係止部２５は、図８における X−X 断面をあらわす図１０に示されるように、導電性シェル１３の下方平板状部１３ｂから内側にＵ字状に屈曲されて下方平板状部１３ｂに重ねられる折り返し部分２１に形成されており、また、係止補助部２６は、図８におけるXI−XI断面をあらわす図１１に示されるように、導電性シェル１３の下方平板状部１３ｂから屈曲して伸び、上下方向において下方平板状部１３ｂと係止部２５との間の位置をとるように形成されている。これらの係止部２５と係止補助部２６とは、実質的に平行な２平面内に夫々位置する状態におかれている。但し、係止部２５及び係止補助部２６は、実質的に同一平面内に位置する状態におかれるものとして形成されてもよい。そして、係止部２５及び係止補助部２６は、絶縁ハウジング１２に係合して、導電性シェル１３を絶縁ハウジング１２に係止する係合係止機構を構成している。
【００２９】
さらに、図１２及び図１３に示されるように、複数の接続端子部１５ａを伴った絶縁ハウジング１２は、それにおける複数の接続端子部１５ａの配列方向における両端部の夫々に、挿入溝部２７が設けられており、その挿入溝部２７に全体としてＵ字状に形成されたロック部材２８が圧入されて、絶縁ハウジング１２にロック部材２８が取り付けられる。その際、ロック部材２８の圧入方向は、図１２において矢印αによって示される方向とされる。ロック部材２８には、第１の係止部を成す突起部２９と、第２の係止部を成す透孔部３０とが設けられている。
【００３０】
そして、図１２及び図１３に示される複数の接続端子部１５ａを伴った絶縁ハウジング１２に、図８及び図９に示される導電性シェル１３が取り付けられるが、その際には、導電性シェル１３が、図１２において矢印βによって示される方向から、絶縁ハウジング１２に係合せしめられる。その際、係合係止機構を構成する係止部２５と係止補助部２６とが絶縁ハウジング１２に設けられた係合部に係合するとともに、導電性シェル１３に設けられた係合片部２３に形成されている係合孔２４が、絶縁ハウジング１２に取り付けられたロック部材２８に形成されている突起部２９に係合し、それにより、導電性シェル１３が絶縁ハウジング１２に係止される。このように、絶縁ハウジング１２に設けられた挿入溝部２７へのロック部材２８の圧入方向と絶縁ハウジング１２に対する導電性シェル１３の係合方向とが、互いに逆とされることにより、後述されるようにして、プラグコネクタがコネクタ装置１１に差し込まれるとき、ロック部材２８に係合すべくプラグコネクタに設けられたロック部材によって、ロック部材２８が絶縁ハウジング１２に設けられた挿入溝部２７から抜け出てしまう事態が回避される。
【００３１】
なお、図８〜図１３に示される例にあっては、導電性シェル１３に設けられた係合片部２３に係合孔２４が形成されるとともに、絶縁ハウジング１２に取り付けられるロック部材２８に突起部２９が形成されているが、導電性シェル１３に設けられた係合片部２３に、係合孔２４に代えて突起部が形成されるとともに、絶縁ハウジング１２に取り付けられるロック部材２８に、突起部２９に代えて係合孔が形成され、導電性シェル１３に設けられた係合片部２３における突起部が、絶縁ハウジング１２に取り付けられたロック部材２８における係合孔に係合し、それにより、導電性シェル１３が絶縁ハウジング１２に係止されるようにされてもよい。
【００３２】
図１４（上面図），図１５（正面図）及び図１５における XVI−XVI 線断面をあらわす図１６（断面図）は、図１〜図３に示される本発明に係るコネクタ装置の一例であるコネクタ装置１１に差込接続されるプラグコネクタの一例を示す。
【００３３】
図１４〜図１６に示されるように、本発明に係るコネクタ装置の一例であるコネクタ装置１１に差込接続されるプラグコネクタの一例を成すプラグコネクタ３１は、合成樹脂等の絶縁材料によって形成され、一部が差込部３３を成すものとされた絶縁基体３２、及び、外部からの電磁波ノイズ対策のため、絶縁基体３２の外面部を、差込部３３及び他の一部を除いて、略全体的に覆うものとされた、金属製の導電性シェル組立て３４を備えている。
【００３４】
絶縁基体３２には、複数の導電コンタクト３５（図１６）が配列配置されており、複数の導電コンタクト３５の夫々の一端部側は、絶縁基体３２の一部が成す差込部３３の先端まで伸びて、接続端子部３６を形成している。それにより、図１４に示されるように、差込部３３には、複数の接続端子部３６が配列配置されている。
【００３５】
また、複数の導電コンタクト３５の夫々の他端部側は、絶縁基体３２上において同軸ケーブル３８の中心導体３９が、例えば、半田付けにより接続されるケーブル接続部３７を形成している。それにより、絶縁基体３２上において、複数のケーブル接続部３７が配列配置されていることになり、それらに複数の同軸ケーブル３８の中心導体３９が夫々接続されている。複数の同軸ケーブル３８の夫々は、絶縁基体３２における差込部３３とは反対側から、プラグコネクタ３１の外部へと伸びており、図１４に示されるように、絶縁基体３２における差込部３３とは反対側においては、複数の同軸ケーブル３８が配列配置されている。
【００３６】
導電性シェル組立て３４は、絶縁基体３２上において配列配置された複数のケーブル接続部３７とそれらに夫々接続された複数の同軸ケーブル３８の中心導体３９とを覆って広がる第１の導電性シェル３４ａと差込部３３を成す部分を含めた絶縁基体３２の底面部を略全面的に覆う第２の導電性シェル３４ｂとを有するものとして構成されている。そして、第２の導電性シェル３４ｂには、複数の同軸ケーブル３８のグラウンド導体（接地導体）４０（図１６）が、例えば、半田付けにより接続されている。斯かる第２の導電性シェル３４ｂは、それにおける一部である、絶縁基体３２における差込部３３を成す部分の底面部を覆う部分が、プラグコネクタ３１における差込部３３に設けられたグラウンド接続部４１を形成するものとされている。
【００３７】
また、絶縁基体３２における複数の接続端子部３６の配列方向の両端部には、一対のロック部材４２が夫々取り付けられている。各ロック部材４２は、その差込部３３の先端に近接した一端部に、可動ラッチ部４３が設けられたものとされており、可動ラッチ部４３は、当該ロック部材４２の他端部側に設けられた操作部４４の操作により、当該ロック部材４２の一端部より突出する状態から当該ロック部材４２の一端部内に引き込まれる状態に移行せしめられる。
【００３８】
上述のような図１４〜図１６に示されるプラグコネクタ３１が、前述の図１〜図３に示される本発明に係るコネクタ装置の一例であるコネクタ装置１１に差込接続されるにあたっては、先ず、図１７に示されるように、複数の同軸ケーブル３８が接続されたプラグコネクタ３１における差込部３３が、コネクタ装置１１における嵌合部１４の開口端に対向するものとなる位置をとるものとされる。その際、コネクタ装置１１における導電性シェル１３の上方平板状部１３ａ側とプラグコネクタ３１における第１の導電性シェル３４ａ側とが相互に対応し、コネクタ装置１１における導電性シェル１３の下方平板状部１３ｂ側とプラグコネクタ３１における第２の導電性シェル３４ｂ側とが相互に対応するものとされる。
【００３９】
次に、プラグコネクタ３１もしくはコネクタ装置１１が、図１７に示される状態から両者が相互に近接するように相対的に移動せしめられて、図１８に示されるように、コネクタ装置１１における嵌合部１４に、プラグコネクタ３１における差込部３３が挿入される。
【００４０】
このとき、コネクタ装置１１における嵌合部１４内に配列配置された複数の導電コンタクト１５の夫々が、それに形成された接触部１５ｂをもって、プラグコネクタ３１における差込部３３に設けられた複数の接続端子部３６のうちの対応するものに押圧接触し、プラグコネクタ３１によってコネクタ装置１１における絶縁ハウジング１２の内面側に設けられた溝部２０内において押し上げられた状態とされる。それにより、プラグコネクタ３１に接続された複数の同軸ケーブル３８の夫々の中心導体３９が、プラグコネクタ３１の導電コンタクト３５及びコネクタ装置１１の導電コンタクト１５を通じて、コネクタ装置１１における接続端子部１５ａに連結されることになる。
【００４１】
また、それとともに、コネクタ装置１１における嵌合部１４を部分的に形成する導電性シェル１３における折り返し部分２１に形成された複数の接触ばね部２２の夫々が、それに形成された接触部２２ａをもって、プラグコネクタ３１における差込部３３に設けられたグラウンド接続部４１に押圧接触し、プラグコネクタ３１によって導電性シェル１３における下方平板状部１３ｂに向けて押し下げられた状態とされる。その際、接触ばね部２２に形成された接触部２２ａの下方に突出する先端部が、導電性シェル１３における下方平板状部１３ｂに設けられた透孔１６内に入り込むものとされる。それにより、プラグコネクタ３１に接続された複数の同軸ケーブル３８の夫々のグラウンド導体４０が、プラグコネクタ３１のグラウンド接続部４１及びコネクタ装置１１の接触ばね部２２を通じて、コネクタ装置１１における導電性シェル１３に設けられた一対のグラウンド接続部１３ｄに連結されることになる。
【００４２】
このようにして、プラグコネクタ３１における差込部３３がコネクタ装置１１における嵌合部１４に挿入されるときには、コネクタ装置１１における嵌合部１４内に配列配置された複数の導電コンタクト１５の夫々が、プラグコネクタ３１における差込部３３にそれを押し下げる方向の押圧力を作用させ、また、コネクタ装置１１の導電性シェル１３における折り返し部分２１に形成された複数の接触ばね部２２の夫々が、プラグコネクタ３１における差込部３３にそれを押し上げる方向の押圧力を作用させることになる。そして、複数の導電コンタクト１５と複数の接触ばね部２２とは、図６に示されるように、複数の接触ばね部２２の夫々が複数の導電コンタクト１５のうちの二つの間に対向する位置に設けられていることになる位置関係を有している。その結果、プラグコネクタ３１における差込部３３に対する複数の導電コンタクト１５の押圧力と複数の接触ばね部２２の押圧力とが相殺され、例えば、複数の導電コンタクト１５の押圧力によってコネクタ装置１１における嵌合部１４を部分的に形成する導電性シェル１３の部分に不所望な変形が来されるような事態は生じない。
【００４３】
プラグコネクタ３１における差込部３３がコネクタ装置１１における嵌合部１４に挿入されるときには、コネクタ装置１１は、例えば、ソリッド印刷配線基板に取り付けられて、複数の接続端子部１５ａがソリッド印刷配線基板に設けられた複数の信号用接続部に夫々接続されるとともに、導電性シェル１３に設けられた一対のグラウンド端子部１３ｄがソリッド印刷配線基板におけるグラウンド接続部に接続されたものとされる。それにより、斯かるもとでは、プラグコネクタ３１に接続された複数の同軸ケーブル３８の夫々の中心導体３９が、プラグコネクタ３１の導電コンタクト３５とコネクタ装置１１の導電コンタクト１５及び接続端子部１５ａとを介して、ソリッド印刷配線基板に設けられた信号用接続部に連結されるとともに、プラグコネクタ３１に接続された複数の同軸ケーブル３８の夫々のグラウンド導体４０が、プラグコネクタ３１のグラウンド接続部４１とコネクタ装置１１の接触ばね部２２及び一対のグラウンド端子部１３ｄを介して、ソリッド印刷配線基板におけるグラウンド接続部に連結されることになる。
【００４４】
さらに、プラグコネクタ３１における差込部３３がコネクタ装置１１における嵌合部１４に挿入されるとき、プラグコネクタ３１に設けられた一対のロック部材４２の夫々が、その差込部３３の先端に近接した一端部に設けられた可動ラッチ部４３を、コネクタ装置１１における絶縁ハウジング１２に取り付けられたロック部材２８に設けられている第２の係止部を成す透孔部３０に係合させて、プラグコネクタ３１をコネクタ装置１１における絶縁ハウジング１２に係止する。
【００４５】
上述の図１４〜図１６に示されるプラグコネクタ３１は、複数の同軸ケーブル３８が接続されるものとされていて、複数のケーブル接続部３７を備えたものとされているが、本発明に係るコネクタ装置に差込接続されるプラグコネクタは、プラグコネクタ３１における複数の同軸ケーブル３８のような複数の同軸ケーブルに代えて、接続端子部が設けられたフレキシブル印刷配線基板が接続されるものとされ、プラグコネクタ３１における複数のケーブル接続部３７のようなケーブル接続部に代えて、基板接続部を備えたものであってもよい。
【産業上の利用可能性】
【００４６】
以上のような本発明に係るコネクタ装置は、例えば、ソリッド印刷配線基板に取り付けられたもとで、プラグコネクタの差込接続に供されるソケットコネクタとして用いることができ、必要とされる機械的強度を損なうことなく全体の薄型化が図られるとともとに、プラグコネクタにおけるグラウンド接続部をグラウンド端子部に確実に連結することができるものとして、様々な電子機器等に広く適用され得るものである。
【図面の簡単な説明】
【００４７】
【図１】本発明に係るコネクタ装置の一例を示す上面図である。
【図２】本発明に係るコネクタ装置の一例を示す正面図である。
【図３】本発明に係るコネクタ装置の一例を示す底面図である。
【図４】図２におけるIV−IV線断面をあらわす断面図である。
【図５】図２に示される本発明に係るコネクタ装置の一例の部分を拡大して示す部分拡大図である。
【図６】図５に示される本発明に係るコネクタ装置の一例の部分における領域Ｒを拡大して示す拡大図である。
【図７】図２における VII−VII 線断面をあらわす断面図である。
【図８】本発明に係るコネクタ装置の一例における導電性シェルの部分を示す部分平面図である。
【図９】図８におけるIX−IX線断面をあらわす断面図である。
【図１０】図８における X−X 線断面をあらわす断面図である。
【図１１】図８におけるX1−XI線断面をあらわす断面図である。
【図１２】本発明に係るコネクタ装置の一例における絶縁ハウジングの部分及びロック部材を示す部分平面図である。
【図１３】本発明に係るコネクタ装置の一例における絶縁ハウジング及びロック部材を示す側面図である。
【図１４】本発明に係るコネクタ装置の一例に差込接続されるプラグコネクタの一例をそれに接続された同軸ケーブルと共に示す上面図である。
【図１５】本発明に係るコネクタ装置の一例に差込接続されるプラグコネクタの一例をそれに接続された同軸ケーブルと共に示す正面図である。
【図１６】図１５における XVI−XVI 線断面をあらわす断面図である。
【図１７】本発明に係るコネクタ装置の一例とそれに差込接続されるプラグコネクタの一例との関係を示す断面図である。
【図１８】本発明に係るコネクタ装置の一例にプラグコネクタの一例が差込接続された状態を示す断面図である。
【符号の説明】
【００４８】
１１・・・コネクタ装置，  １２・・・絶縁ハウジング，  １３・・・導電性シェル，  １３ｄ・・・グラウンド端子部，  １４・・・嵌合部，  １５，３５・・・導電コンタクト，  １５ａ，３６・・・接続端子部，  １５ｂ，２２ａ・・・接触部，  １６・・・透孔，  ２０・・・溝部，  ２１・・・折り返し部分，  ２２・・・接触ばね部，  ２３・・・係合片部，  ２４・・・係合孔，  ２５・・・係止部，  ２６・・・係止補助部，  ２７・・・挿入溝部，  ２８，４２・・・ロック部材，  ２９・・・突起部，  ３０・・・透孔部，  ３１・・・プラグコネクタ，  ３２・・・絶縁基体，  ３３・・・差込部，  ３４・・・導電性シェル組立て，  ３４ａ・・・第１の導電性シェル，  ３４ｂ・・・第２の導電性シェル，  ３７・・・ケーブル接続部，  ３８・・・同軸ケーブル，  ３９・・・中心導体，  ４０・・・グラウンド導体，  ４１・・・グラウンド接続部
【図１】
0004807780.tif 000002
【図２】
0004807780.tif 000003
【図３】
0004807780.tif 000004
【図４】
0004807780.tif 000005
【図５】
0004807780.tif 000006
【図６】
0004807780.tif 000007
【図７】
0004807780.tif 000008
【図８】
0004807780.tif 000009
【図９】
0004807780.tif 000010
【図１０】
0004807780.tif 000011
【図１１】
0004807780.tif 000012
【図１２】
0004807780.tif 000013
【図１３】
0004807780.tif 000014
【図１４】
0004807780.tif 000015
【図１５】
0004807780.tif 000016
【図１６】
0004807780.tif 000017
【図１７】
0004807780.tif 000018
【図１８】
0004807780.tif 000019